(57)【要約】    【課題】  ボールのバックスピン量を増大させる。    【解決手段】  ゴルフクラブセットであって、ロフト角が４６度以上５６度未満である少なくとも１本の第１ゴルフクラブ１Ａと、ロフト角が５６度以上６０度以下である少なくとも１本の第２ゴルフクラブ１Ｂとを含む。第１ゴルフクラブ１Ａ及び第２ゴルフクラブ１Ｂは、それぞれ、スコアライン８が形成されたフェース３を具える。スコアライン８は、溝底８ａと、フェース３に対する法線Ｎに対して、溝底８ａからフェース３に向かって溝幅が広がる向きに傾斜する一対の溝壁８ｂとを有する。第１ゴルフクラブ１Ａにおいて、スコアライン８の溝壁８ｂの傾斜角度Ｂが２８〜４２度の範囲である。第２ゴルフクラブ１Ｂにおいて、スコアライン８の溝壁８ｂの傾斜角度Ｂが、第１ゴルフクラブ１Ａよりも小さく、かつ、２３〜３７度の範囲である。【選択図】  図２
2018186899.tif 000002
【特許請求の範囲】
【請求項１】
ロフト角が異なる複数本のゴルフクラブを含んだゴルフクラブセットであって、
前記ゴルフクラブは、ロフト角が４６度以上５６度未満である少なくとも１本の第１ゴルフクラブと、ロフト角が５６度以上６０度以下である少なくとも１本の第２ゴルフクラブとを含み、
前記第１ゴルフクラブ及び前記第２ゴルフクラブは、それぞれ、スコアラインが形成されたフェースを具えており、
前記スコアラインは、溝底と、前記溝底から前記フェースに向かって溝幅が広がる向きに、前記フェースに立てた法線に対して傾斜する一対の溝壁とを有し、
前記第１ゴルフクラブにおいて、前記スコアラインの前記溝壁の傾斜角度が２８〜４２度の範囲であり、
前記第２ゴルフクラブにおいて、前記スコアラインの前記溝壁の傾斜角度が、前記第１ゴルフクラブよりも小さく、かつ、２３〜３７度の範囲であるゴルフクラブセット。
【請求項２】
前記第１ゴルフクラブにおいて、前記スコアラインの前記溝壁の傾斜角度が３０〜４０度の範囲であり、
前記第２ゴルフクラブにおいて、前記スコアラインの前記溝壁の傾斜角度が、前記第１ゴルフクラブよりも小さく、かつ、２５〜３５度の範囲である請求項１記載のゴルフクラブセット。
【請求項３】
前記第１ゴルフクラブにおいて、前記スコアラインの前記溝壁の傾斜角度が３２〜３８度の範囲であり、
前記第２ゴルフクラブにおいて、前記スコアラインの前記溝壁の傾斜角度が、前記第１ゴルフクラブよりも小さく、かつ、２７〜３３度の範囲である請求項１記載のゴルフクラブセット。
【請求項４】
前記ゴルフクラブは、ロフト角が６０度を超え６４度以下である少なくとも１本の第３ゴルフクラブをさらに含み、
前記第３ゴルフクラブにおいて、前記スコアラインの前記溝壁の傾斜角度が、前記第２ゴルフクラブよりも小さく、かつ、２０〜３０度の範囲である請求項１乃至３のいずれかに記載のゴルフクラブセット。
【請求項５】
前記第１ゴルフクラブ及び前記第２ゴルフクラブは，下記式（１）で定義される動ロフト角Ａ（度）と、前記溝壁の前記傾斜角度をＢ（度）としたときに、下記式（２）で規定される引っ掛かり角度Ｃが６〜２０度である請求項１乃至４のいずれかに記載のゴルフクラブセット。
Ａ＝Ａ’−δ  …（１）
Ｃ＝９０（度）−Ａ−Ｂ    …（２）
（ただし、式（１）において、Ａ’はロフト角（度）、δは８〜１０度の範囲から選択される角度である。）
【請求項６】
前記引っ掛かり角度Ｃが、１０〜１５（度）である請求項５記載のゴルフクラブセット。
【発明の詳細な説明】
【技術分野】
【０００１】
本発明は、ロフト角が異なる複数本のゴルフクラブを含んだゴルフクラブセットに関する。
【背景技術】
【０００２】
下記特許文献１には、各番手のクラブに対応した適正なバックスピン量の打球を得ることを課題としたゴルフクラブセットが記載されている。このゴルフクラブセットは、番手数が大きくなるほどロフト角度が増大する複数本のゴルフクラブから構成されている。各ゴルフクラブの打球面に設けられた複数本のスコアライン溝の横断面形状は、打球面と溝勾配面とのなす角部の断面角度が、番手数が大きくなるに連れて順次乃至段階的に、減少するように構成されている。そこでは、ピッチングウエッジは、断面角度が９０度とされている。
【０００３】
下記特許文献２には、サンドウェッジ以上の番手数のアイアンクラブで短い飛距離のアプローチショットを行ったときには、ゴルフボールを止めやすく、サンドウェッジよりも小さい番手数のアイアンクラブでフルショットを行ったときには、安定した弾道及び適正な飛距離を得やすいアイアンクラブセットを提供することを課題としたアイアンクラブセットが記載されている。特許文献２は、サンドウェッジに形成されるスコアラインの開口縁部の曲率半径を０．１mmに設定し、残りの５番アイアンからアプローチウェッジまでに形成されるスコアラインの開口縁部の曲率半径を０．３mmに設定することを提案している。
【先行技術文献】
【特許文献】
【０００４】
【特許文献１】特開平９−１９２２７４号公報
【特許文献２】特開２００７−７１８１号公報
【発明の概要】
【発明が解決しようとする課題】
【０００５】
特許文献１及び２に記載されるように、従来からゴルフクラブの番手（即ち、ロフト角）に応じて、種々のパラメータ（例えば、ゴルフクラブヘッドのフェースに形成されたスコアラインの溝壁の角度）をフローさせることが行われていた。
【０００６】
しかしながら、先行技術は、実際にゴルフクラブがボールを打撃するときの状況を十分に考慮したものではなく、ボールのバックスピン量を増大させるのは、さらなる改善の余地があった。
【０００７】
本発明は、以上のような問題点に鑑み案出なされたもので、ロフト角が大きいゴルフクラブにおいて、打球のバックスピン量を増大させることが可能なゴルフクラブセットを提供することを主たる課題としている。
【課題を解決するための手段】
【０００８】
本発明は、ロフト角が異なる複数本のゴルフクラブを含んだゴルフクラブセットであって、前記ゴルフクラブは、ロフト角が４６度以上５６度未満である少なくとも１本の第１ゴルフクラブと、ロフト角が５６度以上６０度以下である少なくとも１本の第２ゴルフクラブとを含み、前記第１ゴルフクラブ及び前記第２ゴルフクラブは、それぞれ、スコアラインが形成されたフェースを具えており、前記スコアラインは、溝底と、前記溝底から前記フェースに向かって溝幅が広がる向きに、前記フェースに立てた法線に対して傾斜する一対の溝壁とを有し、前記第１ゴルフクラブにおいて、前記スコアラインの前記溝壁の傾斜角度が２８〜４２度の範囲であり、前記第２ゴルフクラブにおいて、前記スコアラインの前記溝壁の傾斜角度が、前記第１ゴルフクラブよりも小さく、かつ、２３〜３７度の範囲であるゴルフクラブセットである。
【０００９】
本発明の他の態様では、前記第１ゴルフクラブにおいて、前記スコアラインの前記溝壁の傾斜角度が３０〜４０度の範囲とされ、前記第２ゴルフクラブにおいて、前記スコアラインの前記溝壁の傾斜角度が、前記第１ゴルフクラブよりも小さく、かつ、２５〜３５度の範囲とされても良い。
【００１０】
本発明の他の態様では、前記第１ゴルフクラブにおいて、前記スコアラインの前記溝壁の傾斜角度が３２〜３８度の範囲とされ、前記第２ゴルフクラブにおいて、前記スコアラインの前記溝壁の傾斜角度が、前記第１ゴルフクラブよりも小さく、かつ、２７〜３３度の範囲とされても良い。
【００１１】
本発明の他の態様では、前記ゴルフクラブは、ロフト角が６０度を超え６４度以下である少なくとも１本の第３ゴルフクラブをさらに含むことができ、前記第３ゴルフクラブにおいて、前記スコアラインの前記溝壁の傾斜角度が、前記第２ゴルフクラブよりも小さく、かつ、２０〜３０度の範囲とされても良い。
【００１２】
本発明の他の態様では、前記第１ゴルフクラブ及び前記第２ゴルフクラブは，下記式（１）で定義される動ロフト角Ａ（度）と、前記溝壁の前記傾斜角度をＢ（度）としたときに、下記式（２）で規定される引っ掛かり角度Ｃが６〜２０度であるのが望ましい。
Ａ＝Ａ’−δ  …（１）
Ｃ＝９０（度）−Ａ−Ｂ    …（２）
（ただし、式（１）において、Ａ’はロフト角（度）、δは８〜１０度の範囲から選択される角度である。）
【００１３】
本発明の他の態様では、前記引っ掛かり角度Ｃが、１０〜１５（度）であるのが望ましい。
【発明の効果】
【００１４】
本発明のゴルフクラブセットに含まれる第１ゴルフクラブ及び第２ゴルフクラブは、スコアラインの溝壁の傾斜角度を一定の範囲に限定したことにより、打球により多くのバックスピンを与えることができる。
【図面の簡単な説明】
【００１５】
【図１】（Ａ）は、本実施形態のゴルフクラブの正面図、（Ｂ）はその側面図である。
【図２】（Ａ）は第１ゴルフクラブのスコアラインの横断面図、（Ｂ）は第２ゴルフクラブのスコアラインの横断面図、（Ｃ）は第３ゴルフクラブのスコアラインの横断面図である。
【図３】（Ａ）はゴルフクラブヘッドでボールを打撃したときの側面図、（Ｂ）はそのＸ部拡大断面図である。
【図４】図３（Ｂ）を模式化した線図である。
【図５】本実施形態のゴルフクラブにおいて、スコアラインとボールとの接触状態を説明する拡大断面図である。
【図６】（Ａ）は、スコアラインとボールとの接触状態の断面図、（Ｂ）は、フェースとボールとの接触状態をフェースの背面側から見た図、（Ｃ）は、スコアラインとボールとの接触状態をフェースの斜め側方から観察した図である。
【図７】打撃試験に用いられたゴルフクラブヘッドの正面図である。
【図８】打撃試験の結果であり、時間とフェースに作用したせん断力との関係を示すグラフである。
【図９】打撃試験に用いられたゴルフクラブヘッドの正面図である。
【発明を実施するための形態】
【００１６】
以下、本発明の実施形態が図面に基づき説明される。以下に詳述される実施形態及び図面に表された具体的な構成は、本発明の内容を理解するためのものであって、本発明は、それらの具体的な構成に限定されるものではない。
【００１７】
本実施形態のゴルフクラブセットは、ロフト角が異なる複数本（複数種類）のゴルフクラブを含んでいる。図１（Ａ）及び（Ｂ）には、ゴルフクラブセット（全体図示せず）に含まれる１本のゴルフクラブ１の部分的な正面図及びトウ側から見た側面図がそれぞれ示されている。
【００１８】
図１（Ａ）及び（Ｂ）に示されるように、ゴルフクラブ１は、ボールを打撃するためのゴルフクラブヘッド（以下、単に「ヘッド」ということがある。）２と、一端がヘッド２に固着されたシャフトＳとを含んでおり、典型的には、アイアン型のゴルフクラブとして構成されている。本実施形態では、アイアン型のゴルフクラブセットに基づき説明が行われる。
【００１９】
［基準状態等の定義］
図１（Ａ）及び（Ｂ）には、ゴルフクラブ１の基準状態が示されている。本明細書において、ゴルフクラブ１の「基準状態」とは、ヘッド２のフェース３に形成されたスコアライン８と水平面ＨＰとが平行とされた状態で、ヘッド２が水平面ＨＰ上に置かれた状態である。基準状態では、シャフトＳの中心軸線ＣＬが基準垂直面ＶＰ内に配されている。基準垂直面ＶＰは、水平面ＨＰに対して垂直な平面である。この基準状態において、スコアライン８は、水平面ＨＰに平行であり、かつ、基準垂直面ＶＰに平行とされる。また、前記「ロフト角」とは、この基準状態において、フェース３と基準垂直面ＶＰとの間の角度であり、図１（Ｂ）には、符号Ａ’で表されている。また、ライ角は、図１（Ａ）に、符号βで表されている。
【００２０】
［ヘッドの基本構成］
ヘッド２は、典型的なアイアン型の形状を有し、フェース３、トップ４、ソール５、トウ６及びホーゼル７を含んでいる。
【００２１】
フェース３は、ボールを打撃するための実質的に平坦な面である。フェース３には、ボールとの摩擦等を高めるために、例えば、複数本のスコアライン８（溝）が設けられている。スコアライン８の構成については、後で詳しく説明される。
【００２２】
トップ４は、フェース３の上縁から後方にのびているヘッド２の上面部分である。ソール５は、フェース３の下縁から後方にのびているヘッド２の底面部分である。トウ６は、ホーゼル７から最も離れた部分である。ホーゼル７は、シャフトＳの一端を固着するためのもので、例えば筒状に構成されている。
【００２３】
［ゴルフクラブセットの構成］
本実施形態のゴルフクラブセットは、少なくとも１本の第１ゴルフクラブ１Ａと、少なくとも１本の第２ゴルフクラブ１Ｂとを含む。さらに、本実施形態のゴルフクラブセットは、これら以外のゴルフクラブを含むことができる。例えば、本実施形態のゴルフクラブセットは、少なくとも１本の第３ゴルフクラブ１Ｃを含むことができる。以下の態様では、ゴルフクラブセットが、第１ゴルフクラブ１Ａ、第２ゴルフクラブ１Ｂ及び第３ゴルフクラブ１Ｃを含む場合が説明される。他の態様では、ゴルフクラブセットは、第４ゴルフクラブを含むことができる。
【００２４】
第１ゴルフクラブ１Ａは、ロフト角が４６度以上５６度未満のゴルフクラブとして定義される。便宜上、ロフト角が４６度以上５６度未満のゴルフクラブの集合を第１グループと表現する場合がある。第１ゴルフクラブ１Ａは、例えば、アプローチから１００ヤード程度の飛距離を狙う状況で用いられるゴルフクラブであって、例えば、ピッチングウエッジ（ＰＷ）やアプローチウエッジ（ＡＷ）と称されるゴルフクラブを包含する。第１グループには、ロフト角が異なる２種類以上の第１ゴルフクラブ１Ａが含まれても良い。
【００２５】
第２ゴルフクラブ１Ｂは、ロフト角が５６度以上６０度以下のゴルフクラブとして定義される。便宜上、ロフト角が５６度以上６０度未満のゴルフクラブの集合を第２グループと表現する場合がある。第２ゴルフクラブ１Ｂは、例えば、主に６０ヤード以下程度の飛距離を狙う状況、アプローチ、さらにはバンカーショットといった状況で用いられるゴルフクラブであって、例えば、サンドウエッジ（ＳＷ）と称されるゴルフクラブを包含する。第２グループには、ロフト角が異なる２種類以上の第２ゴルフクラブ１Ｂが含まれても良い。
【００２６】
第３ゴルフクラブ１Ｃは、ロフト角が６０度以上のゴルフクラブとして定義される。便宜上、ロフト角が６０度以上のゴルフクラブの集合を第３グループと表現する場合がある。第３ゴルフクラブ１Ｃは、典型的には、アプローチや深いラフから脱出する状況で用いられるゴルフクラブであって、例えば、ロブウェッジ（ＬＷ）と称されるゴルフクラブを包含する。第３グループには、ロフト角が異なる２種類以上の第３ゴルフクラブ１Ｃが含まれても良い。
【００２７】
上で説明されたように、ゴルフクラブセットは、さらに、第１グループに属する第１ゴルフクラブ１Ａよりも小さいロフト角を有する第４ゴルフクラブが含まれても良い。第４ゴルフクラブは、例えば、３〜９番アイアンなどと称される場合がある。
【００２８】
［スコアラインの構成］
図２（Ａ）、（Ｂ）及び（Ｃ）には、それぞれ、第１ゴルフクラブ１Ａ、第２ゴルフクラブ１Ｂ及び第３ゴルフクラブ１Ｃのフェース３に形成されたスコアライン８の横断面図が示されている。図２（Ａ）〜（Ｃ）において、各ゴルフクラブ１Ａ〜１Ｃのスコアライン８は、溝底８ａと、一対の溝壁８ｂとを有する。
【００２９】
スコアライン８の溝底８ａは、例えば、フェース３と平行な面として形成されている。スコアライン８の一対の溝壁８ｂは、それぞれ、溝底８ａからフェース３に向かって溝幅が広がる向きに傾斜している。本実施形態の溝壁８ｂは、平面で構成されており、その傾斜角度Ｂは、フェース３に立てた法線Ｎに対する角度として定義される。一対の溝壁８ｂは、溝中心線に対して、互いに対称形状に構成されている。なお、前記「平行」や前記「対称形状」は、いずれも、スコアライン８を機械加工する際の精度を考慮して、実質的な「平行」や実質的な「対称形状」を意図していることが注意される。
【００３０】
溝壁８ｂとフェース３とが交差するコーナ部８ｅは、所定の曲率半径の滑らかな円形状とされている。この丸みの曲率半径は、例えば、ゴルフ規則に従って、少なくとも０．０１０インチ（０．２５４mm）の有効半径を有するように定められれば良い。
【００３１】
［スコアラインの溝壁の角度］
ゴルフ競技において、アプローチショットの精度を高めたいというプロ乃至上級者ゴルファのニーズに対応するために、本実施形態の第１ゴルフクラブ１Ａ及び第２ゴルフクラブ１Ｂは、打球（ボール）のバックスピン量を増加させ、狙いの場所に止まるような打球を提供する。この目的のために、本実施形態では、各ゴルフクラブ１Ａ〜１Ｃのスコアライン８の溝壁８ｂの傾斜角度Ｂが以下のように設定されている。
【００３２】
即ち、第１ゴルフクラブ１Ａでは、スコアライン８の溝壁８ｂの傾斜角度Ｂは、２８〜４２度の範囲とされる。また、第２ゴルフクラブ１Ｂでは、スコアライン８の溝壁８ｂの傾斜角度Ｂが、第１ゴルフクラブ１Ａのそれよりも小さく、かつ、２３〜３７度の範囲とされる。さらに、第３ゴルフクラブ１Ｃにおいて、スコアライン８の溝壁８ｂの傾斜角度Ｂは、第２ゴルフクラブ１Ｂよりも小さく、かつ、２０〜３０度の範囲とされる。各ゴルフクラブ１Ａ〜１Ｃにおいて、上記のようにスコアライン８の溝壁８ｂの傾斜角度Ｂを規定した理由は次の通りである。
【００３３】
先ず、第１ゴルフクラブ１Ａ及び第２ゴルフクラブ１Ｂがアプローチショットで使用される場合、これらのゴルフクラブは、芝生の上に直接置かれたボールを打撃する。従って、ボールのバックスピン量を増加させるべくスコアライン８の構成を改善するためには、ボール打撃時に、フェース３とボールとの間には、常に芝生が介在することを考慮に入れておく必要がある。
【００３４】
次に、ボールのバックスピン量は、ボールがフェース３に接触している間にフェース３から受けるせん断力の力積と強い相関が認められている。従来においても、スコアライン８は、上記のようなせん断力を高める一つの要素と考えられてきたが、発明者らは、さらに研究を進め、ヘッド２の動ロフト角を考慮に入れたときのスコアライン８の溝壁８ｂの役割に着目した。
【００３５】
プロ乃至上級者ゴルファを対象としたアプローチショットを解析したところ、その多くは、ボールを打撃する瞬間のフェース３の垂直線に対する傾き角度（以下、このような角度を「動ロフト角」という。）は、ゴルフクラブ１の基準状態でのロフト角とは異なっていた。そして、第１ゴルフクラブ１Ａ及び第２ゴルフクラブ１Ｂについて数多くのアプローチショットを解析したところ、動ロフト角は、概ね、基準状態のロフト角よりも８〜１０度程度小さい角度であることが分かった。従って、スコアライン８の溝壁８ｂの傾斜角度Ｂは、基準状態のロフト角ではなく、むしろ動ロフト角の状態を考慮して、最適設計される必要がある。
【００３６】
図３（Ａ）には、アプローチショット時のヘッド２とボール１０との打撃瞬間の側面図を示し、図３（Ｂ）は、そのＸ部の拡大断面図を示している。図３（Ｂ）から明らかなように、ボール打撃時、ボール１０の表面層１０ａは、フェース３及びそのスコアライン８と接触することで大きく弾性変形し、その一部はスコアライン８の内部にまで入り込む。そして、表面層１０ａは、一対の溝壁８ｂのうち、上側の溝壁８ｂと主体的に接触する。発明者らの種々の実験では、この上側の溝壁８ｂを改善することにより、ボール１０により大きなせん断力を発生させることができることが判明した。
【００３７】
図４には、図３（Ｂ）のヘッド２の拡大図が示されている。図４では、ボールは省略されており、水平方向がｘ、垂直方向がｙでそれぞれ表されている。また、図４において、ヘッド２のフェース３は、垂直線に対して動ロフト角Ａで傾いている。発明者らは、９０度から動ロフト角Ａ及びスコアラインの溝壁８ｂの傾斜角度Ｂを差し引いた角度Ｃ、即ち、Ｃ＝９０（度）−Ａ−Ｂを溝壁８ｂの引っ掛かり角度として定義し、この引っ掛かり角度Ｃを規定することが、ボールのバックスピン量のさらなる増大に役立つことを突き止めた。より具体的には、第１ゴルフクラブ１Ａ及び第２ゴルフクラブ１Ｂのような高ロフト角のゴルフクラブでは、引っ掛かり角度Ｃを正の大きい角度となるようにスコアライン８を改善することが重要であることを突き止めた。
【００３８】
図５には、さらに、ボール１０とともに図４の部分拡大図が示されている。図５に示されるように、スコアライン８の引っ掛かり角度Ｃの符号については、スコアラインの８の上側の溝壁８ｂが、該溝壁８ｂと溝底８ａとの交点Ｐを通る垂直線ｙ１よりもボールの飛球線方向（図４及び図５において右側）に傾く場合を正（＋）として定義される。
【００３９】
以上のように構成されたゴルフクラブでは、ボール打撃時、スコアライン８の上側の溝壁８ｂは、垂直線ｙ１に対して前傾する。前傾した溝壁８ｂとボールとが接触した場合、図５に示されるように、ボール１０のカバーは、弾性変形して、上側の溝壁８ｂと広い面積で接触しうるとともに、物理的に非常に強い引っ掛かり作用（係合作用）が得られる。本実施形態の第１ゴルフクラブ１Ａ及び第２ゴルフクラブ１Ｂでボール１０を打撃した場合、ボールは、より長い時間、スコアライン８に引っ掛かって接触を続けるため、ボール１０に大きなせん断力Ｆを長い時間作用させ、ひいては、バックスピン量を大幅に増加させることができる。一方、上記引っ掛かり角度Ｃが０度以下では、ボールとフェースとの間に芝が介在している状況では、両者の間で強い係合作用が得られ難く、ボールに大きなせん断力を与えることができない。
【００４０】
表１には、本発明で規定されているゴルフクラブセットに含まれ得る第１ゴルフクラブ１Ａ及び第２ゴルフクラブ１Ｂの各ロフト角Ａ’と、スコアライン８の溝壁８ｂの傾斜角度Ｂとの関係の一例が示される。第１ゴルフクラブ１Ａについては、溝壁８ｂの傾斜角度Ｂの下限値（２８度）及び上限値（４２度）の場合が示されている。第２ゴルフクラブ１Ｂについては、溝壁８ｂの傾斜角度Ｂの下限値（２３度）及び上限値（３７度）の場合が示されている。さらに、表１には、想定される動ロフト角Ａ（この例では、基準状態のロフト角Ａ’から１０度を差し引いたものと定義されている。）、及び、溝壁の引っ掛かり角度Ｃ（Ｃ＝９０−Ａ−Ｂ）も表示されている。また、任意の要素として、第３ゴルフクラブ１Ｃの例についても表示されている。
【００４１】
【表１】
2018186899.tif 000003
【００４２】
表１から明らかなように、本発明のゴルフクラブセットに含まれる第１ゴルフクラブ１Ａ及び第２ゴルフクラブ１Ｂは、ボール打撃時、スコアライン８の溝壁８ｂの引っ掛かり角度Ｃがいずれも正の値を示す。従って、第１ゴルフクラブ１Ａ及び第２ゴルフクラブ１Ｂは、ボールに大きなせん断力を与え、ひいては、ボールのバックスピン量を有意に増加させることができる。このような高バックスピン量は、例えば、アプローチショットにおいて、所望の位置にボールを停止させることができ、コントロール性に優れる。
【００４３】
表１では、溝壁８ｂの傾斜角度Ｂに関し、各第１ゴルフクラブ１Ａは、２８度又は４２度のいずれかの値が記載されているが、これに限定されるものではなく、２８〜４２度の範囲内の任意の角度が採用されても良い。
【００４４】
また、例えば、第１グループは、ロフト角の範囲が比較的広いので、第１グループにロフト角が異なる複数本の第１ゴルフクラブ１Ａが含まれても良い。この場合、それらの溝壁の傾斜角度Ｂは、ロフト角が大きくなるにつれて、徐々に小さくなるように設定されることが望ましい。このような態様では、複数の第１ゴルフクラブ１Ａは、それらのロフト角に関わらず、溝壁８ｂの引っ掛かり角度Ｃがほぼ均一になるように構成され得る。第２ゴルフクラブ１Ｂについても同様の態様が採用可能である。
【００４５】
好ましい態様では、第１ゴルフクラブ１Ａにおいて、スコアライン８の溝壁８ｂの傾斜角度Ｂが３０〜４０度の範囲とされる。同様に、好ましい態様では、第２ゴルフクラブ１Ｂでは、スコアライン８の溝壁８ｂの傾斜角度Ｂが、第１ゴルフクラブ１Ａよりも小さく、かつ、２５〜３５度の範囲とされる。表２には、このような第１ゴルフクラブ１Ａ及び第２ゴルフクラブ１Ｂのロフト角Ａ’と、スコアライン８の溝壁８ｂの傾斜角度Ｂとの関係の一例が示される。第１ゴルフクラブ１Ａについては、溝壁８ｂの傾斜角度Ｂの下限値（３０度）及び上限値（４０度）の場合が示されている。第２ゴルフクラブ１Ｂについては、溝壁８ｂの傾斜角度Ｂの下限値（２５度）及び上限値（３５度）の場合が示されている。さらに、表２には、想定される動ロフト角Ａ（この例では、基準状態のロフト角Ａ’から１０度を差し引いたものと定義されている。）、及び、溝壁の引っ掛かり角度Ｃ（Ｃ＝９０−Ａ−Ｂ）も表示されている。さらに、任意の要素として、第３ゴルフクラブの例についても表示されている。
【００４６】
【表２】
2018186899.tif 000004
【００４７】
より好ましい態様では、第１ゴルフクラブ１Ａにおいて、スコアライン８の溝壁８ｂの傾斜角度Ｂが３２〜３８度の範囲とされる。同様に、より好ましい態様では、第２ゴルフクラブ１Ｂでは、スコアライン８の溝壁８ｂの傾斜角度Ｂが、第１ゴルフクラブ１Ａよりも小さく、かつ、２７〜３３度の範囲とされる。表３には、このような第１ゴルフクラブ１Ａ及び第２ゴルフクラブ１Ｂのロフト角Ａ’と、スコアライン８の溝壁８ｂの傾斜角度Ｂとの関係の一例が示される。第１ゴルフクラブ１Ａについては、溝壁８ｂの傾斜角度Ｂの下限値（３２度）及び上限値（３８度）の場合が示されている。第２ゴルフクラブ１Ｂについては、溝壁８ｂの傾斜角度Ｂの下限値（２７度）及び上限値（３３度）の場合が示されている。また、表３には、想定される動ロフト角Ａ（この例では、基準状態のロフト角Ａ’から１０度を差し引いたものと定義されている。）、及び、溝壁の引っ掛かり角度Ｃ（Ｃ＝９０−Ａ−Ｂ）も表示されている。さらに、任意の要素として、第３ゴルフクラブの例についても表示されている。
【００４８】
【表３】
2018186899.tif 000005
【００４９】
ボールのバックスピン量を十分に高めるために、スコアライン８の溝壁８ｂの引っ掛かり角度Ｃは、好ましくは６度以上、より好ましくは８度以上、さらに好ましくは１０度以上が望ましい。一方、スコアライン８の前記引っ掛かり角度Ｃが過度に大きくなると、ボール打撃時、スコアライン８の溝壁８ｂの溝底側にボールが接触し難くなり、むしろ両者の接触面積が低下するおそれがある。このような観点から、引っ掛かり角度Ｃは、好ましくは２０度以下、より好ましくは１８度以下、さらに好ましくは１５度以下であるのが望ましい。なお、引っ掛かり角度Ｃは、上述のように、下記式（１）で定義される動ロフト角Ａ（度）と、溝壁８ｂの前記傾斜角度をＢ（度）としたときに、下記式（２）で規定されるものである。
Ａ＝Ａ’−δ  …（１）
Ｃ＝９０（度）−Ａ−Ｂ    …（２）
ただし、式（１）において、Ａ’はロフト角（度）、δは８〜１０度の範囲から選択される角度である。
【００５０】
スコアライン８の幅（溝幅）、隣接するスコアライン間の間隔、及び、スコアラインの深さについては、特に限定されるものでないが、ゴルフ規則を満足するように設定することができる。
【００５１】
以上、本発明の実施形態が、種々説明されたが、本発明は、上記の実施形態に限定されるものではなく、種々の態様に変形することができる。特に、異なる実施形態間において、それぞれの特徴部分を互いに置換することや、転用することが可能であることは言うまでもない。以下に、本発明のより具体的な実施例について述べる。
【実施例】
【００５２】
［打撃試験による溝壁とボールとの接触面積の比較］
図６には、本発明に係る実施例の第１ゴルフクラブ（下段側）と、比較例のゴルフクラブ（上段側）とを使用し、打撃試験を行った結果が示されている。実施例では、溝壁の傾斜角度Ｂは３０．０度である。比較例は、１７．５度である。いずれも、基準状態のロフト角は５８度である。打撃試験では、各ゴルフクラブがスイングロボットに装着され、ヘッドスピード１６m/s、ボール打撃時の動ロフト角５０度（すなわち、上記式（１）のδ＝８度に設定）で、表面に黒色のマジックインキを付したボールを打撃することにより行われた。
【００５３】
この試験に用いられたゴルフクラブは、図７に示されるような、ヘッド２０を含むものとした。このヘッド２０は、フェース部分に貫通孔Ｏが形成されたヘッド本体３０と、この貫通孔Ｏを閉じるようにヘッド本体３０にビス３２で固定された透明なフェースプレート４０とから構成されている。フェースプレート４０は、例えば、アクリル板が用いられており、その打撃面には、試験用のスコアライン８が形成されている。このヘッド２０を用いて打撃試験を行った場合、ボールとフェース３との接触状態は、ヘッドの後方から貫通孔Ｏを通して、高速度カメラで撮像することができる。
【００５４】
図６（Ａ）は、スコアラインとボールとの接触状態をヘッドの側方から観察した図である。図６（Ａ）から明らかなように、ボールとスコアラインの溝壁との接触に関し、実施例は、比較例よりも、より溝底側まで接触していることが確認できる。
【００５５】
図６（Ｂ）は、スコアラインとボールとの接触状態をフェースの背面側から観察した図である。濃い黒色ほど、ボールとフェースとがより強く接触しているか、又は、より接近していることを示している。図６（Ｂ）から明らかなように、スコアライン内の領域に着目すると、下段側の実施例は、上段側の比較例よりも、濃い黒色の面積が大きいことが確認できる。
【００５６】
図６（Ｃ）は、スコアラインとボールとの接触状態をフェースの斜め側方から観察した図である。濃い黒色ほど、ボールとフェースとがより強く接触しているか、又は、より接近していることを示している。図６（Ｃ）から明らかなように、スコアラインの溝壁部分に着目すると、実施例は、比較例よりも、濃い黒色の面積が大きいことが確認できる。
【００５７】
［せん断力の時刻歴］
図８は、打撃試験において、ボールとフェースとの接触中に、フェースに作用したせん断力の時刻歴を示している。図８から明らかなように、実施例は、比較例に比べてせん断力のピークが大きく、かつ、力積も大きいことが確認できる。
【００５８】
なお、本試験に用いられたゴルフクラブは、図９に示されるような、ヘッド５０を含むものとした。このヘッド５０は、フェース部分に凹部５２が形成されたヘッド本体５４と、凹部５２を覆うように配されたフェースプレート５６と、これらの間に配され、かつ、フェースプレート５６に作用した力を計測するための力覚センサー５８とを含んで構成されている。このヘッド２０を用いて打撃試験を行った場合、フェースプレート５６とボールとが接触している間のフェースプレート５６に作用したせん断力を計測することができる。
【００５９】
［打球のバックスピン量］
表４に示す仕様にて、種々の傾斜角度を有する第１ゴルフクラブ、第２ゴルフクラブ及び第３ゴルフクラブが試作され、それらについて打撃試験が行われ、各ゴルフクラブで打ち出されたボールのバックスピン量が測定された。
【００６０】
表４の実施形態からゴルフクラブセットを構成する場合、第１グループで少なくとも１本のゴルフクラブが、また、第２グループで少なくとも１本のゴルフクラブが、それぞれ選択されれば良い。他のゴルフクラブセットの態様としては、第１グループにおいて、Ａ１〜Ａ３の中から選ばれた１本の第１ゴルフクラブと、Ｂ１〜Ｂ３の中から選ばれた１本の第１ゴルフクラブとを含むことができる。同様に、第２グループとして、Ｃ１〜Ｃ３の中から選ばれた１本の第２ゴルフクラブと、Ｄ１又はＤ２の中から選ばれた１本の第２ゴルフクラブとを含むことができる。なお、ゴルフクラブセットの他の態様では、第３グループとして、Ｅ１又はＥ２の中から選ばれた１本の第３ゴルフクラブを含むことができる。
【００６１】
打撃試験は、スイングロボットを用いて行われ、ボール打撃時のヘッドスピードは、１６m/sとされた。また、打撃試験では、ボール打撃時に、フェースとボールとの間に芝が同じ状況で介在するように、予めボールに芝生を付着させた状態で行われた。テストの結果が表４に示される・
【００６２】
【表４】
2018186899.tif 000006
【００６３】
テストの結果、実施例のゴルフクラブセットは、ボールのバックスピン量を顕著に増大させていることが確認できた。
【符号の説明】
【００６４】
１    ゴルフクラブ
１Ａ  第１ゴルフクラブ
１Ｂ  第２ゴルフクラブ
１Ｃ  第３ゴルフクラブ
２    ゴルフクラブヘッド
３    フェース
８    スコアライン
８ａ、８ｂ  溝底
Ａ    動ロフト角
Ｂ    溝壁の傾斜角度
Ｃ    引っ掛かり角度
【図１】
2018186899.tif 000007
【図２】
2018186899.tif 000008
【図３】
2018186899.tif 000009
【図４】
2018186899.tif 000010
【図５】
2018186899.tif 000011
【図６】
2018186899.tif 000012
【図７】
2018186899.tif 000013
【図８】
2018186899.tif 000014
【図９】
2018186899.tif 000015